(57)【特許請求の範囲】
【請求項１】
仮設足場の壁つなぎを建物外壁に取り付けるための取付金具において、
壁つなぎに連結される第１管体と、第１管体よりも径小で、第１管体内に伸縮自在に嵌合される第２管体とを備え、第１管体は外端部を閉塞し、この外端側閉塞部には下向きに突出する挟持片と上向きに突出する支持片とを設け、この上向きに突出する支持片に壁つなぎ用のネジ孔部を設け、第２管体は少なくとも内端部を閉塞し、その外端部には第１管体７の挟持片に対向する挟持片を下向きに突設し、第２管体の内端側閉塞部にはネジ孔を設け、第１管体の外端側閉塞部にはボルト挿通孔を設け、このボルト挿通孔より締付用ボルトを挿通して、その先端部を第２管体の内端側ネジ孔に螺入し、この締付用ボルトを正逆回転させることによって両管体を伸縮自在とし、しかして両管体の挟持片を建物外壁の突起部に跨がらせて締付用ボルトを締付方向に回転させることにより、両挟持片を挟着固定し、壁つなぎ用ネジ孔部には、一端側を仮設足場に固定した壁つなぎの他端側螺軸をねじ込むようにしてなる壁つなぎ取付金具であって、
第１管体及び第２管体は夫々角形管体からなるもので、第１管体の上壁部下面と第２管体の上壁部上面との間にスペーサプレートを介在させて、このスペーサプレートを第２管体に固定すると共に、このプレートにはその幅方向中央部にプレート長さ方向に所要長さ延びるガイド溝を設け、このガイド溝に沿って案内されるガイドピンを第１管体の内端部の管体幅方向中央部に取り付け、
このガイド溝の内端部は閉塞されてなり、
更に第２管体が第１管体に対し最大収縮した時に第２管体の挟持片の基端部を受け入れる挟持片受入溝を設けてなる壁つなぎ取付金具。
【請求項２】
第１管体の外端側閉塞部から下向きに突出する挟持片にはパイプクランプ取付用ネジ孔部を設けてなる請求項１に記載の壁つなぎ取付金具。
【請求項３】
第２管体の挟持片は、その内側面を下端側が内方へ出っ張るような傾斜面に形成してなる請求項１又は２に記載の壁つなぎ取付金具。
【発明の詳細な説明】
【技術分野】
【０００１】
本発明は、仮設足場の壁つなぎを建物の外壁、例えばベランダの手摺りやパラペット等に取り付けるのに使用される壁つなぎ取付金具に関する。
【背景技術】
【０００２】
従来の壁つなぎ取付金具として、例えば下記特許文献１に記載されたものがある。この壁つなぎ取付金具は、横棒の一端側を建物の外壁に固定し、他端側を仮設足場に固定するようにした取付金具で、横棒の一端側に第１挟持体と第２挟持体とを離間して且両者間の離間距離が調整できるように設け、この第１挟持体と第２挟持体とで建物の外壁を挟み付けて固定するようにしたもので、第１挟持体を横棒に固定し、第２挟持体を横棒に対しスライド自在として、第２挟持体に設けたピン孔と横棒に設けた任意のピン孔とに連結ピンを挿通させることにより、両挟持体間の離間距離を調整するようになっている。
【先行技術文献】
【特許文献】
【０００３】
【特許文献１】特開平９−３１０４８３号公報
【発明の概要】
【発明が解決しようとする課題】
【０００４】
上記壁つなぎ取付金具では、両挟持体間の離間距離を調整するのに、第１挟持体を横棒に固定し、第２挟持体を横棒に対しスライド自在として、第２挟持体のピン孔と横棒の任意のピン孔とに連結ピンを挿通させるようにしているため、第２挟持体のピン孔及び横棒の任意のピン孔に対する連結ピンの着脱操作が面倒で、建物外壁への取付けに手間がかかるという問題がある。
【０００５】
上記の問題点に鑑み、建物外壁への取付けが簡単容易に行えると共に、構造がコンパクトで外観上の体裁が良好な壁つなぎ取付金具を提供することを目的とする。
【課題を解決するための手段】
【０００６】
上記課題を解決するための手段を、後述する実施形態の参照番号を付して説明すると、請求項１に係る発明は、図１〜図７に示すように、仮設足場２の壁つなぎ５を建物外壁６に取り付けるための取付金具において、
壁つなぎ５に連結される第１管体７と、第１管体７よりも径小で、第１管体７内に伸縮自在に嵌合される第２管体８とを備え、第１管体７は外端部を閉塞し、この外端側閉塞部１２には下向きに突出する挟持片１０と上向きに突出する支持片９とを設け、この上向きに突出する支持片１０に壁つなぎ用のネジ孔部１１を設け、第２管体８は内外両端部を閉塞し、その外端部には第１管体７の挟持片１０に対向する挟持片２０を下向きに突設し、第２管体８の内端側閉塞部１４にはネジ孔１５を設け、第１管体７の外端側閉塞部１２にはボルト挿通孔１３を設け、このボルト挿通孔１３より締付用ボルト１７を挿通して、その先端部を第２管体８の内端側ネジ孔１５に螺入し、この締付用ボルト１７を正逆回転させることによって両管体７，８を伸縮自在とし、しかして両管体７，８の挟持片１０，２０を建物外壁６の突起部６ａに跨がらせて締付用ボルト１７を締付方向に回転させることにより、両挟持片１０，２０を挟着固定し、壁つなぎ用ネジ孔部１１には、一端側を仮設足場２に固定した壁つなぎ５の他端側螺軸５ｃをねじ込むようにしてなる壁つなぎ取付金具であって、
第１管体７及び第２管体８は夫々角形管体４１，４２からなるもので、第１管体７の上壁部７ａ下面と第２管体８の上壁部８ａ上面との間にスペーサプレート１８を介在させて、このスペーサプレート１８を第２管体８に固定すると共に、このプレート１８にはその幅方向中央部にプレート長さ方向に所要長さ延びるガイド溝１９を設け、このガイド溝１９に沿って案内されるガイドピン３５を第１管体７の内端部の管体幅方向中央部に取り付け、
このガイド溝１９の内端部１９ａは閉塞されてなり、
更に第１管体７の下壁部７ｂの内端部には、図３の(a) ，(b) に示すように、第２管体８が第１管体７に対し最大収縮した時に第２管体８の挟持片２０の基端部を受け入れる挟持片受入溝２２を設けてなることを特徴とする。
【０００７】
【０００８】
【０００９】
【００１０】
【００１１】
請求項２は、請求項１に記載の壁つなぎ取付金具において、図１〜図３に示すように、第１管体７の外端側閉塞部１２から下向きに突出する支持片９にはパイプクランプ取付用ネジ孔部３６を設けたことを特徴とする。
【００１２】
請求項３は、請求項１又は２に記載の壁つなぎ取付金具において、図２〜図４に示すように、第２管体８の挟持片２０は、その内側面２０ａを下端側が内方へ出っ張るような傾斜面に形成してなることを特徴とする。
【発明の効果】
【００１３】
上記解決手段による発明の効果を、後述する実施形態の参照番号を付して説明すると、請求項１に係る発明によれば、壁つなぎ取付金具１の取付けにあたって、両管体７，８の挟持片１０，２０を建物外壁６の突起部６ａに跨がらせた状態で、締付用ボルト１７を締付方向に回転させるだけで、両挟持片１０，２０が突起部６ａを両側から挟着するから、建物外壁６の突起部６ａに対する取付作業を簡単容易に且つ迅速に行うことができる。またボルト１７の締付作業を仮設足場２側から行うことができるため、ベランダ側に立ち入る必要がなく、作業の効率が良く、作業の安全性も向上する。
【００１４】
また壁つなぎ取付金具１を建物外壁６の突起部６ａに取付けた後、一端側を仮設足場２に固定した壁つなぎ５の他端側螺軸５ｃを、第１管体７の外端部から上向きに突出した支持片９の壁つなぎ用ネジ孔部１１にねじ込んでいくと、支持片９が仮設足場２側へ引っ張られるから、支持片９と反対側の下向きに突出する挟持片１０は、第１管体７の外端側閉塞部１２を挿通する締付用ボルト１７を中心とする回転作用によって、支持片９の引っ張り方向とは反対方向（建物外壁６の突起部６ａと対向する方向）に押される状態となり、それがために第１管体７側挟持片１０と第２管体８側挟持片２０による挟持力が増して、壁つなぎ取付金具１を建物外壁６の突起部６ａに一層強固に取り付けることができる。
【００１５】
この発明の壁つなぎ取付金具１では、第１管体７の外端側閉塞部１２から上向きに突出する支持片９に壁つなぎ用ネジ孔部１１を設けているが、この壁つなぎ用ネジ孔部１１を、仮に、支持片９と反対側の下向きに突出する挟持片１０に設けたとすれば、その挟持片１０の壁つなぎ用ネジ孔部１１に壁つなぎ５の他端部側をねじ込んでいくと、第１管体７側の挟持片１０が足場支柱３側へ引っ張られて、建物外壁６の突起部６ａから離間する状態となって、両挟持片１０，２０が突起部６ａから抜ける恐れがある。従って、この発明の壁つなぎ用ネジ孔部１１のように、壁つなぎ用ネジ孔部１１を第１管体７の外端側閉塞部１２から上向きに突出する支持片９に設けたことにより、両挟持片１０，２０の挟持力を増大させることができる。
【００１６】
またこの発明の壁つなぎ取付金具１では、壁つなぎ用のネジ孔部１１に連結される側の第１管体７の外端部を閉塞して、この外端側閉塞部１２にボルト挿通孔１３を設け、第１管体７内に嵌合される第２管体８の両端部を閉塞し、その内端側閉塞部１４にネジ孔１５を設け、第１管体７の外端側ボルト挿通孔１３から挿通した締付用ボルト１７の先端部を第２管体８の内端側ネジ孔１５に螺入し、このボルト１７を正逆回転させることによって両管体７，８を伸縮させるようにしたから、両管体７，８を最小収縮した状態で使用する時も、締付用ボルト１７は第２管体８内に納まったままの状態で、その第２管体８から突出することがなく、外観上の体裁が良い上に、不要な金属突出部がないために居住側の安全性を高めることができる。
【００１７】
因に、壁つなぎ用連結部１１に連結される第１管体７に第２管体８を外嵌するように構成して、第２管体８の内端部を開放し、その外端部を閉塞し、そして第１管体７の外端側ボルト挿通孔１３から挿通した締付用ボルト１７の先端部を第２管体８の外端閉塞部１６に螺入する構成とした場合には、両管体７，８が如何なる伸縮状態の時も締付用ボルト１７の先端部側が第２管体８の外端閉塞部１６から前方へ突出し、殊に両管体７，８の最小収縮時はボルト１７の先端側が相当長く突出することになり、従って外観的にも体裁が悪い上に、不要な金属突出部のために安全性が損なわれる。
【００１８】
【００１９】
【００２０】
またこの発明によれば、第１管体７及び第２管体８を夫々角形管体４１，４２からなるものとし、第１管体７の上壁部７ａ下面と第２管体８の上壁部８ａ上面との間にスペーサプレート１８を介在させて、このスペーサプレート１８を第２管体８に固定すると共に、このプレート１８にはその幅方向中央部にプレート長さ方向に所要長さ延びるガイド溝１９を設け、このガイド溝１９に沿って案内されるガイドピン３５を第１管体７の内端部の管体幅方向中央部に取り付けたことにより、第１管体７内に嵌合された第２管体８の上下方向のガタつきを阻止し、またこのスペーサプレート１８のガイド溝１９内に第１管体７に突設したガイドピン３５を係合させることにより、第２管体８の左右方向のガタつきを阻止して、両管体７，８の伸縮作動と締付用ボルト１７による第２管体８の駆動をスムーズに行わせることができる。
また、第１管体７及び第２管体８としては、両者がスライド自在に嵌合しうる最小限の適当な隙間を両者間に確保できるような角形管体４１，４２を使用すれば、上記のようなスペーサプレート１８を必要としないわけであるが、内外径の差が最小限となるような第１管体７及び第２管体８の管材料を選定することになると、コストが高くつくことから、市場に潤沢に流通していて、比較的安価に調達できるサイズの角形管体４１，４２を選んだことにより、第１管体７の内径と第２管体８の外径との差が大きいものであっても、両管体７，８間にスペーサプレート１８を介在させることによって、第１管体７と第２管体８との間の上下方向のガタつきを有効に阻止することができると共に、第１管体７及び第２管体８を安価に製作することができる。
【００２１】
また、この発明によれば、上記ガイド溝１９の内端部１９ａは閉塞されてなるため、第２管体８の伸長端がガイドピン３５が上記内端部１９ａに当接することによって規制され、更にこのガイドピン３５は、上記のような位置規制機能の他に、常時は第２管体８の内端側閉塞部１４のネジ孔１５に螺合して第２管体８を第１管体７に連結している締付用ボルト１７をそのネジ孔１５から抜いて取り外する際に第２管体８が第１管体７から離脱するのを阻止するストッパー機能を有する。
更にまた、この発明によれば、第１管体７の下壁部７ｂの内端部には、図３の(a) ，(b) に示すように、第２管体８が第１管体７に対し最大収縮した時に第２管体８の挟持片２０の基端部を受け入れる挟持片受入溝２２を設けてなるため、この挟持片受入溝２２を設けたことによって、第２管体８を第１管体７に対し最大限コンパクトに収納することができる。
【００２２】
請求項２に係る発明によれば、第１管体７の外端側閉塞部１２から下向きに突出する支持片９にはパイプクランプ取付用ネジ孔部３６を設けているから、パイプクランプ３７を取り付けたクランプ取付用螺軸３８をねじ込んで固定することにより、このパイプクランプ３７は、例えば作業安全標語や各種広告等を表示した横断幕や垂れ幕等を取り付けるためのパイプ３９を掴持することができる。
【００２３】
請求項３に係る発明によれば、第２管体８の挟持片２０は、その内側面２０ａを下端側が内方へ出っ張るような傾斜面に形成しているから、両管体７，８の挟持片１０，２０によって建物外壁６の突起部６ａを挟持した時に両挟持片１０，２０が不測に脱落するのを防止することができる。
【図面の簡単な説明】
【００２４】
【図１】本発明に係る壁つなぎ取付金具の使用形態を示す正面図である。
【図２】(a) は同壁つなぎ取付金具の拡大正面図で、第１管体と第２管体との最大伸張状態を示し、また第１管体の支持片に壁つなぎを連結した状態を示し、(b) は同壁つなぎ取付金具の平面図、(c) は同壁つなぎ取付金具の左側面図である。
【図３】(a) は図２の(b) のＡ−Ａ線断面図で、第１管体と第２管体とが最大伸張した状態を示し、(b) は第１管体と第２管体とが最小収縮した状態の断面図である。
【図４】(a) は壁つなぎ取付金具の第２管体を示す正面図、(b) は平面図、(c) は左側面図である。
【図５】(a) は壁つなぎ取付金具の第１管体を示す正面図、(b) は平面図、(c) は左側面図、(d) は右側面図である。
【図６】(a) は締付用ボルトの長さを延長した場合の壁つなぎ取付金具の最大伸張状態での正面図、(b) は平面図、(c) は左側面図であり、(d) は同壁つなぎ取付金具の最小収縮状態での正面図である。
【発明を実施するための形態】
【００２５】
以下に本発明の好適な実施形態について図面を参照しつつ説明すると、図１において、１は本発明に係る壁つなぎ取付金具で、この壁つなぎ取付金具１は、一端部を仮設足場２の足場支柱３にパイプクランプ４によって固定した壁つなぎ５の他端部に連結した状態で建物外壁６の突起部６ａに取付け固定されている。建物外壁６の突起部６ａは、例えば集合住宅のベランダ手摺設置用堰壁部である。
【００２６】
壁つなぎ取付金具１は、図１〜図３に示すように、壁つなぎ５に連結される第１管体７と、第１管体７より径小で、第１管体７内に伸縮自在に嵌合される第２管体８とを備え、第１管体７は外端部を閉塞し、この外端側閉塞部１２には下向きに突出する挟持片１０と上向きに突出する支持片９とを設け、この上向きに突出する支持片９には壁つなぎ用ネジ孔部１１を設け、第２管体８は内外両端部を閉塞し、その外端部には第１管体７の挟持片１０に対向する挟持片２０を下向きに突設し、第２管体８の内端側閉塞部１４にはネジ孔１５を設け、第１管体７の外端側閉塞部１２にはボルト挿通孔１３を設け、このボルト挿通孔１３より締付用ボルト１７を挿通して、その先端部を第２管体８の内端側ネジ孔１５に螺入し、この締付用ボルト１７を正逆回転させることによって両管体７，８を伸縮移動自在とし、しかして両管体７，８の挟持片１０，２０を建物外壁６の突起部６ａに跨がらせて締付用ボルト１７を締付方向に回転させることにより、両挟持片１０，２０を挟着固定し、壁つなぎ用ネジ孔部１１には、一端側を仮設足場に固定した壁つなぎ５の他端側をねじ込むようにしたものである。なお、第２管体８は、内端部は閉塞する必要はあるが、外端部は開口させてもよい。
【００２７】
上記壁つなぎ取付金具１の構造について図２〜図５を参照して更に詳しく説明すれば、第１管体７及び第２管体８は夫々金属製の角形管体４１，４２からなるもので、第１管体７である角形管体４１の内径は、第２管体８である角形管体４２の外径よりも大きくて、第１管体７内に第２管体８を嵌合した状態で第１管体７の内周面と第２管体８の外周面との間に可なり大きな隙間ができ、両管体７，８の伸縮スライド操作に不都合を生じて好ましくない。そこで、その不都合を解消するために、第１管体７の上壁部７ａ下面と第２管体８の上壁部８ａ上面との間にスペーサプレート１８を介在させ、このスペーサプレート１８を第２管体８に取付け固定すると共に、このスペーサプレート１８にはその幅方向中央部に、プレート長さ方向に所要長さ延びるガイド溝１９を設け、このガイド溝１９に沿って案内されるガイドピン３５を第１管体７の内端部の管体幅方向中央部に取り付けている。
【００２８】
なお、第１管体７及び第２管体８としては、両者がスライド自在に嵌合しうる最小限の適当な隙間を両者間に確保できるような角形管体４１，４２を使用すれば、上記のようなスペーサプレート１８を必要としないわけであるが、内外径の差が最小限となるような第１管体７及び第２管体８の管材料を選定することになると、コストが高くつくことから、市場に潤沢に流通していて、比較的安価に調達できるサイズの角形管体４１，４２を選んだことにより、図１〜図６に示す実施形態のように第１管体７の内径と第２管体８の外径との差が大きいものとなったのである。
【００２９】
第２管体８を示す図４の(a) 〜(c) から分かるように、スペーサプレート１８は、平面視が長尺なＵ字状を成すように形成されたもので、第２管体８の上壁部８ａ上面の内端部側寄りに固定されて、第２管体８の幅方向中央部にガイド溝１９を形成し、このガイド溝１９は内端部１９ａが閉塞されている。このガイド溝１９に案内されるガイドピン３５はリベットからなるもので、図３の(a) ，(b) 及び図５の(a) 〜(d) に示すように、第１管体７の上壁部７ａ内端部の幅方向中央部に設けられたリベット孔２１より挿入して上壁部７ａ下面より突出し、第２管体８の上壁部８ａ上面に固定されたスペーサプレート１８のガイド溝１９に係合するようになっている。
【００３０】
上記のように第２管体８の上壁部８ａ上面にスペーサプレート１８を取り付けることにより、第１管体７内に嵌合された第２管体８の上下方向のガタつきを阻止し、また、このスペーサプレート１８のガイド溝１９内に第１管体７に突設したガイドピン３５を係合させることにより、第２管体８の左右方向のガタつきを阻止して、その直進性を確保し、両管体７，８の伸縮作動と締付用ボルト１７による第２管体８の駆動をスムーズに行わせることができる。なお、このガイドピン３５は、上記のような位置規制機能の他に、常時は第２管体８の内端側閉塞部１４のネジ孔１５に螺合して第２管体８を第１管体７に連結している締付用ボルト１７をそのネジ孔１５から抜いて取り外す際に、ガイド溝１９の内端部１９ａが閉塞されているため、ガイドピン３５がガイド溝１９の内端部１９ａに当接して、第２管体８が第１管体７から離脱するのを阻止するストッパー機能を有する。
【００３１】
また、図５から分かるように、第１管体７の外端面には上下に長い厚肉プレート３０が第１管体７と直角に固着され、この厚肉プレート３０の上下方向中央部分で第１管体７の外端開口部が閉塞され、この中央部分を第１管体７の外端側閉塞部１２とする。そして、この外端側閉塞部１２から下向きに突出する厚肉プレート３０の下方部分が第１管体７の挟持片１０を形成し、また外端側閉塞部１２から上向きに突出する厚肉プレート３０の上方部分が支持片９を形成する。また、厚肉プレート３０の中央部分である第１管体７の外端側閉塞部１２にボルト挿通孔１３を設け、厚肉プレート３０の上方部分である支持片９には透孔３１を設け、また下方部分である挟持片１０には透孔２３を設け、更にこれら透孔３１，２３の外端側には、図３の(a) ，(b) に示すようにナット３４，２４を夫々同心状に固着する。そして、支持片９に設けた透孔３１とこれの外端側に固着したナット３４のネジ孔３４ａとによって壁つなぎ用ネジ孔部１１を構成する。
【００３２】
また、第１管体７の下壁部７ｂの内端部には、図３の(a) ，(b) に示すように、第２管体８が第１管体７に対し最大収縮した時に第２管体８の挟持片２０の基端部を受け入れる挟持片受入溝２２を設けている。この挟持片受入溝２２は、図５の(a) ，(b) には破線で示し、同図の(c) には実線で示している。この挟持片受入溝２２を設けたことによって、第２管体８を第１管体７に対し最大限コンパクトに収納することができる。
【００３３】
第１管体７の外端部に上向きに突出する支持片９に設けた壁つなぎ用ネジ孔部１１は、図３の(a) ，(b) に示すように、挟持片１０の下端部に設けた透孔３１と、この透孔３１の外端部に同心状に溶接により固着されたナット３４のネジ孔３４ａとからなる（勿論、透孔３１はナット３４のネジ孔３４ａより径大である）。なお、この実施形態では、壁つなぎ用ネジ孔部１１を、支持片９の上端部の透孔３１とナット３４のネジ孔３４ａとからなるものとしているが、ナット３４を取り付けることなく、支持片９の上端部の透孔３１の代りにネジ孔を形成し、このネジ孔を壁つなぎ用ネジ孔部１１としてもよい。
【００３４】
また図２の(a) 及び図３に示すように、第１管体７の外端部に下向きに突出する挟持片１０に設けた透孔２３と、この透孔２３の外端部に同心状に溶接により固着されたナット２４のネジ孔２４ａとによってパイプクランプ取付用のネジ孔部３６を構成し、しかしてこのネジ孔部３６には、図１及び図２に示すように、パイプクランプ３７を取り付けたクランプ取付用螺軸３８をねじ込んで固定するようになっている。このパイプクランプ３７は、図１に示すように、例えば作業安全標語等や各種広告等を表示した横断幕を取り付けるためのパイプ３９を掴持することができる。図１、図２では、パイプクランプ３７は、パイプ３９を上下方向に延びた鉛直姿勢に掴持する位置にあるが、図示の状態からクランプ取付用螺軸３８を適宜に回転させてパイプクランプ３７を横向きに位置させることにより、パイプ３９を水平姿勢に掴持することができ、その水平姿勢のパイプ３９には例えば垂れ幕を吊るすことができる。
【００３５】
なお、図１には、第１管体７の外端部から上向きに突出する支持片９の壁つなぎ用ネジ孔部１１に壁つなぎ５の他端側螺軸５ｃをねじ込んで連結した状態と、第１管体７の外端部に下向きに突出する挟持片１０のパイプクランプ取付用のネジ孔部３６にクランプ取付用螺軸３８をねじ込んで取り付けた状態とをそのまま図示しているが、この壁つなぎ取付金具１の実際の使用においては、支持片９の壁つなぎ用ネジ孔部１１と、挟持片１０のパイプクランプ取付用ネジ孔部３６とは同時に使用するものではない。つまり、壁つなぎ取付金具１の支持片９に壁つなぎ５を連結する時は挟持片１０のパイプクランプ取付用ネジ孔部３６にパイプクランプ３７を連結せず、またパイプクランプ３７は、支持片９に壁つなぎ５を連結しない時に挟持片１０のパイプクランプ取付用ネジ孔部３６に連結して使用する。
【００３６】
また図２及び図３に示すように、第１管体７及び第２管体８の挟持片１０，２０には夫々の内側面にシート状の緩衝材２５を貼着している。この緩衝材２５は、フェルト材、合成樹脂材、ゴム等からなるもので、金属製の挟持片１０，２０を建物外壁６の突起部６ａに跨がらせて挟持する際に建物外壁６の突起部６ａに傷が付くのを防止することが主たる役割であり、また突起部６ａへの衝当時の衝当音を緩和する役割もある。
【００３７】
また、図２の(a) 及び図４の(a) に示すように、第２管体８の挟持片２０は、その内側面２０ａを下端側が内方へ出っ張るような傾斜面に形成している。この傾斜面２０ａの傾斜角度θは、約１°〜約５°とする。このように第２管体の挟持片２０の内側面２０ａを下端側が内方へ出っ張るような傾斜面とすることによって、両管体７，８の挟持片１０，２０により建物外壁６の突起部６ａを挟持した時の両挟持片１０，２０の不測の脱落を防止することができる。
【００３８】
また図４の(a) ，(b) から分かるように、第２管体８は両端部が閉塞されており、その内端側閉塞部１４にはネジ孔１５が設けられ、外端側閉塞部１６には、後述するように締付用ボルト１７の長さを延長する場合に両管体７，８を最小収縮させた時に当該延長回転防止ピン１６の先端部を突出させるためのボルト突出孔１６ａを設けている。
【００３９】
なお、図１に示す壁つなぎ５は、本体５ａと、この本体５ａの両端部に夫々伸縮可能に連結された螺軸５ｂ，５ｃとからなり、一端部側の螺軸５ｂの先端部にはパイプクランプ４が取り付けられ、他端部側の螺軸５ｃは、図２の(a) に示すように、本発明に係る壁つなぎ取付金具１の第１管体７側に設けてある壁つなぎ用ネジ孔部１１にねじ込んで連結固定されるようになっている。また図１において、２６は仮設足場２に架け渡される足場板を示す。
【００４０】
また図２〜図４において、２７は第２管体８の製作にあたって第２管体８を溶融メッキによってメッキする時にメッキ液を内部へ積極的に浸入させるための孔である。
【００４１】
上記のように構成される壁つなぎ取付金具１の取付けについて説明すると、先ず、図１に示すような建物外壁６の突起部６ａのおおよその幅寸法に合わせて第１管体７の挟持片１０と第２管体８の挟持片２０との離間距離を調整する。この調整においては、図２及び図３に示す締付用ボルト１７を時計回り（締付方向）に回転させると、両管体７，８が互いに収縮し、反時計回り（緩み方向）に回転させると、両管体７，８が互いに伸張する。図３の(a) は両管体７，８の最大伸張状態を示し、(b) は最小収縮状態を示す。
【００４２】
しかして、突起部６ａの幅寸法に合うように両挟持片１０，２０の離間距離を若干広めに調整した後、両管体７，８の挟持片１０，２０を建物外壁６の突起部６ａに跨がらせ、この状態で締付用ボルト１７を時計回り（締付方向）に回転させることにより両管体７，８を収縮させて、両挟持片１０，２０を突起部６ａの両側面に圧接することにより、壁つなぎ取付金具１全体を突起部６ａに固定する。
【００４３】
この後、図１及び図２に示すように、一端側をパイプクランプ４によって仮設足場２の足場支柱３に固定した壁つなぎ５の他端側螺軸５ｃを本体５ａに対し伸縮調整しながら、この螺軸５ｃを、第１管体７の外端部から上向きに突出した支持片９の壁つなぎ用ネジ孔部１１にねじ込む。この時、この壁つなぎ５の螺軸５ｃを支持片９のネジ孔部１１にねじ込んでいくと、支持片９が螺軸５ｃにより足場支柱３側へ引っ張られるから、支持片９と反対側の下向きに突出する挟持片１０は、第１管体７の外端側閉塞部１２を挿通する締付用ボルト１７を中心とする回転作用によって、支持片９の引っ張り方向と反対方向（建物外壁６の突起部６ａと対向する方向）に押される状態となり、そのために第１管体７側挟持片１０と第２管体８側挟持片２０とによる挟持力が増して、建物外壁６の突起部６ａを強く挟着し、壁つなぎ取付金具１を建物外壁６の突起部６ａに一層強固に取り付けることができる。
【００４４】
この発明の壁つなぎ取付金具１では、第１管体７の外端側閉塞部１２から上向きに突出する支持片９に壁つなぎ用ネジ孔部１１を設けているが、この壁つなぎ用ネジ孔部１１を、仮に、支持片９とは反対側の下向きに突出する挟持片１０に設けたとすれば、その挟持片１０の壁つなぎ用ネジ孔部１１に壁つなぎ５の螺軸５ｃをねじ込んでいくと、第１管体７側の挟持片１０が足場支柱３側へ引っ張られて、建物外壁６の突起部６ａから離間する状態となって、両挟持片１０，２０が突起部６ａから抜けるおそれがある。従って、この発明の壁つなぎ用ネジ孔部１１のように、壁つなぎ用ネジ孔部１１を第１管体７の外端側閉塞部１２から上向きに突出する支持片９に設けたことにより、両挟持片１０，２０の挟持力を増大させることができる。
【００４５】
また、この壁つなぎ取付金具１は、取付けにあたって、両管体７，８の挟持片１０，２０を他建物外壁６の突起部６ａに跨がらせた状態で、締付用ボルト１７を締付方向に回転させるだけで、両挟持片１０，２０が突起部６ａを両側から挟着するから、突起部６ａに対する取付け作業を簡単容易にして迅速に行うことができる。またボルト１７の締付作業を仮設足場２の足場板２６側から行うことができるため、ベランダ側に立ち入る必要がなく、作業の効率が良く、作業の安全性も向上する。
【００４６】
また、この壁つなぎ取付金具１では、壁つなぎ用連結部１１に連結される側の第１管体７の外端部を閉塞して、この外端側閉塞部１２にボルト挿通孔１３を設け、そして第１管体７内に嵌合される第２管体８の両端部を閉塞し、その内端側閉塞部１４にネジ孔１５を設け、第１管体７の外端側ボルト挿通孔１３から挿通した締付用ボルト１７の先端部を第２管体８の内端側ネジ孔１５に螺入し、このボルト１７を正逆回転させることにより両管体７，８を伸縮させるようにしたから、両管体７，８を図３の(b) に示すように最小収縮状態で使用する時でも、締付用ボルト１７は第２管体８内に納まったままの状態で、その第２管体８から突出することがなく、外観上の体裁が良い上に、不要な金属突出部がないために居住側の安全性を高めることができる。
【００４７】
この発明の壁つなぎ取付金具１では、壁つなぎ用連結部１１に連結される第１管体７内に第２管体８を嵌合するようにして、第２管体８の内端側閉塞部１４のネジ孔１５に、第１管体７側から挿通した締付用ボルト１７の先端部を螺入するようにしているが、因に、壁つなぎ用連結部１１に連結される第１管体７に第２管体８を外嵌する構成にすると共に第２管体８の内端部を開放し、その外端部を閉塞し、そして第１管体７の外端側ボルト挿通孔１３から挿通した締付用ボルト１７の先端部を第２管体８の外端閉塞部１４に螺入する構成とした場合には、両管体７，８が如何なる伸縮状態の時も締付用ボルト１７の先端部側が第２管体８の外端閉塞部１６から前方へ突出し、殊に両管体７，８の最小収縮時はボルト１７の先端側が相当長く突出することになり、従って外観的にも体裁が悪い上に、不要な金属突出部のために安全性が損なわれる。
【００４８】
図２の(a) 及び図３の（ａ）は両管体７，８が最大伸張して両者間の離間距離が最大の状態を示しているが、両管体７，８間の離間距離を更に延ばしたい場合には、図２に示す締付用ボルト１７よりも長さの長いものを使用すればよい。このように締付用ボルト１７の長さを延長する場合を図６に示す。このボルト延長時には、図５から分かるように、第１管体７の内端部に取り付けてあるガイドピン３５（リベット）を取り外すことよって、両管体７，８間の離間距離を延ばすことができ、しかして第１管体７側から挿通した長さの長い締付用ボルト１７の先端部を第２管体８の内端側閉塞部１４のネジ孔１５に螺入すればよい。このように締付用ボルト１７の長さを延長する場合には、両管体７，８を最小収縮させた時に、この延長締付用ボルト１７の先端部を、第２管体８の外端側閉塞部１６に設けてあるボルト突出孔１６ａから突出させ、それによって第２管体８を第１管体７内に的確に収納することができる。尚、図６の（ａ）〜(d) に示すように、ガイドピン３５（リベット）を取り外した後にはリベット孔２１が残っている。
【００４９】
【００５０】
【００５１】
【符号の説明】
【００５２】
１            壁つなぎ取付金具
２            仮設足場
４            パイプクランプ
５            壁つなぎ
５ａ          壁つなぎの本体
５ｂ          螺軸
５ｃ          螺軸
６            建物外壁
７            第１管体
８            第２管体
９            支持片
１０          第１管体側の挟持片
１１          壁つなぎ用ネジ孔部
１２          第１管体の外端側閉塞部
１３          ボルト挿通孔
１４          第２管体の内端側閉塞部
１５          ネジ孔
１６          第２管体の外端側閉塞部
１７          締付用ボルト
１８          スペーサプレート
１９          ガイド溝
１９ａ        ガイド溝の内端部
２０          第２管体側の挟持片
２２          挟持片受入溝２２
２３          ネジ孔部
２５          緩衝材
３０          厚肉プレート
３５          ガイドピン
３６          パイプクランプ取付用のネジ孔部
３７          パイプクランプ
【図１】
0005576235.tif 000002
【図２】
0005576235.tif 000003
【図３】
0005576235.tif 000004
【図４】
0005576235.tif 000005
【図５】
0005576235.tif 000006
【図６】
0005576235.tif 000007